(57)【要約】【課題】面倒な操作や作業をすることなく、アプリケーションに設定されたロックを簡単に解除できるようにする。【解決手段】スマートフォン１００でアプリケーションの起動が指示されたときに、ＩＣカード２００から鍵情報を無線通信により取得する鍵情報取得部１１と、当該取得した鍵情報と、スマートフォン１００に予め記憶されている認証用鍵情報とが一致するか否かを判定し、一致する場合に、アプリケーションに設定されたロックを解除するロック解除処理部１２とを備え、スマートフォン１００でアプリケーションを使用しようとするときに、ユーザがパスワードを手入力したり、ＩＣカードをアダプタにより接続したりすることなく、ただ単にＩＣカード２００をスマートフォン１００に近づけるだけで、鍵情報が無線通信され、アプリケーションに設定されたロックが解除されるようにする。【選択図】図１
2013109695.tif 000002
【特許請求の範囲】
【請求項１】
アプリケーションプログラムが記憶された端末装置と、上記アプリケーションプログラムに設定された使用制限のためのロックを解除するための鍵情報が記憶された記録媒体とを備えて成るアプリケーションのロック解除システムであって、
上記端末装置および上記記録媒体は、近距離無線通信機能を備え、互いが通信可能圏内に近接したときに上記鍵情報を無線通信可能に構成されており、
上記端末装置は、認証用鍵情報を記憶する認証用鍵情報記憶部と、
上記アプリケーションプログラムの起動が指示されたときに、上記記録媒体から上記鍵情報を無線通信により取得する鍵情報取得部と、
上記鍵情報取得部により上記記録媒体から上記鍵情報を取得できたか否かを判定するとともに、上記鍵情報を取得できた場合には、当該取得した上記鍵情報と上記認証用鍵情報記憶部に記憶されている上記認証用鍵情報とが一致するか否かを判定し、一致する場合に上記ロックを解除するロック解除処理部とを備えたことを特徴とするアプリケーションのロック解除システム。
【請求項２】
上記記録媒体に記憶された鍵情報は、上記記録媒体の固有ＩＤであり、
上記端末装置の認証用鍵情報記憶部に記憶された上記認証用鍵情報は、上記記録媒体から無線通信により取得して登録した上記固有ＩＤであることを特徴とする請求項１に記載のアプリケーションのロック解除システム。
【請求項３】
アプリケーションプログラムが記憶された端末装置と、上記アプリケーションプログラムに設定された使用制限のためのロックを解除するための鍵情報が記憶された記録媒体とを備え、上記端末装置および上記記録媒体が近距離無線通信機能を備えたアプリケーションのロック解除システムにおいて、上記端末装置にインストールされるロック解除用プログラムであって、
上記アプリケーションプログラムの起動が指示されたときに、上記記録媒体から上記鍵情報を無線通信により取得する鍵情報取得手段、および
上記鍵情報取得手段により上記記録媒体から上記鍵情報を取得できたか否かを判定するとともに、上記鍵情報を取得できた場合には、当該取得した上記鍵情報と認証用鍵情報記憶部に予め記憶されている認証用鍵情報とが一致するか否かを判定し、一致する場合に上記ロックを解除するロック解除処理手段、
として上記端末装置を機能させるためのコンピュータ読み取り可能なロック解除用プログラム。
【発明の詳細な説明】
【技術分野】
【０００１】
本発明は、アプリケーションのロック解除システムおよびロック解除用プログラムに関し、特に、アプリケーションプログラムの使用を制限するためのロック機能の設定を解除する技術に関するものである。
【背景技術】
【０００２】
近年、携帯電話の機能と携帯情報端末（ＰＤＡ）の機能とを融合させた携帯端末が提供されている。この種の携帯端末は、スマートフォンと呼ばれており、通常の通話機能だけでなく、ＰＤＡが得意とする各種のアプリケーション機能を持っている。多くのスマートフォンは、タッチパネル画面を備えている。このタッチパネル画面には、通話を含む複数のアプリケーションを利用するための操作キー（アイコン）が表示され、当該アイコンのタッチ操作によって所望のアプリケーションプログラムを簡単に起動できるようになされている。
【０００３】
一方、アプリケーションプログラム（以下、単にアプリケーションという）の使用を制限するためのロック機能が提供されている。従来のロック機能では、ロック対象として指定されたアプリケーションを起動させるためにユーザがアイコンを操作すると、パスワード入力画面が表示される。ここで、ユーザが正しいパスワードを入力すると、対象のアプリケーションが起動し、通常に使用できる状態となる。このロック機能は、スマートフォンを紛失した場合などの万が一のためのセキュリティとして有効な機能であるが、アプリケーションを使用する都度パスワードを手入力しなければならないという面倒があった。
【０００４】
なお、ＩＣカードを利用してパスワード認証を行う技術が提案されている（例えば、特許文献１参照）。特許文献１に記載の技術では、ＩＣカード内のフラッシュメモリに、特定サイトに対応するＵＲＬやパスワードを予め格納しておく。そして、アダプタを介して携帯電話機にＩＣカードを接続した状態で、携帯電話機から特定サイトへのアクセスを専用サーバに対して要求すると、専用サーバからの要求に応じて携帯電話機がパスワードをＩＣカードから読み出して送信することにより、特定サイトへのアクセス権を取得するようになされている。
【先行技術文献】
【特許文献】
【０００５】
【特許文献１】特開２００２−１９７２８６号公報
【発明の概要】
【発明が解決しようとする課題】
【０００６】
しかしながら、上記特許文献１に記載の技術では、携帯電話機から特定サイトへアクセスしようとするときは、その都度、ＩＣカードを携帯電話機にアダプタにより接続しなければならないという面倒があった。また、特許文献１に記載の技術は、アプリケーションのロックをパスワードにより解除するものではない。そこで、本発明は、面倒な操作や作業をすることなく、アプリケーションに設定されたロックを簡単に解除できるようにすることを目的とする。
【課題を解決するための手段】
【０００７】
上記した課題を解決するために、本発明では、端末装置でアプリケーションの起動が指示されたときに、端末装置が記録媒体から鍵情報を無線通信により取得する。そして、記録媒体から取得した鍵情報と、端末装置に予め記憶されている認証用鍵情報とが一致するか否かを端末装置にて判定し、一致する場合に、アプリケーションに設定された使用制限のためのロックを解除するようにしている。
【発明の効果】
【０００８】
上記のように構成した本発明によれば、端末装置でアプリケーションを使用しようとするときに、ユーザがパスワードを手入力したり、ＩＣカードをアダプタにより接続したりすることなく、ただ単に記録媒体を端末装置に近づけるだけで、鍵情報が無線通信され、アプリケーションに設定された使用制限のためのロックが解除される。これにより、ユーザが面倒な操作や作業をすることなく、アプリケーションのロックを簡単に解除することができる。
【図面の簡単な説明】
【０００９】
【図１】本実施形態によるアプリケーションのロック解除システムの構成例を示すブロック図である。
【図２】本実施形態による登録画面の一例を示す図である。
【図３】本実施形態によるロック画面の一例を示す図である。
【図４】本実施形態によるアプリケーションのロック解除システムの動作例を示すフローチャートである。
【発明を実施するための形態】
【００１０】
以下、本発明の一実施形態を図面に基づいて説明する。図１は、本実施形態によるアプリケーションのロック解除システムの構成例を示すブロック図である。図１に示すように、本実施形態によるアプリケーションのロック解除システムは、アプリケーションが記憶された端末装置１００と、アプリケーションに設定された使用制限のためのロックを解除するための鍵情報が記憶された記録媒体２００とを備えて構成されている。
【００１１】
端末装置１００は、例えばスマートフォンである。記録媒体２００は、例えばＩＣカードである。以下では、スマートフォン１００およびＩＣカード２００と記す。これらのスマートフォン１００およびＩＣカード２００は、ＮＦＣ（Near Field Communication）等の近距離無線通信機能を備え、互いが通信可能圏内に近接したときに、鍵情報を無線通信可能に構成されている。
【００１２】
ＩＣカード２００は、固有ＩＤ記憶部２１、ＩＤ読出部２２および無線通信部２３を備えている。固有ＩＤ記憶部２１は、ＩＣカード２００に固有のＩＤを記憶している。ＮＦＣ機能を搭載したＩＣカード２００の例として、Ｆｅｌｉｃａ（登録商標）やＭｉｆａｒｅ（登録商標）がある。Ｆｅｌｉｃａには、「ＩＤｍ」といって、カード製造時にＩＣチップに記録され書き換えができない固有のＩＤが割り当てられている。同様に、Ｍｉｆａｒｅには、「ＵＩＤ」といって、カード製造時にＩＣチップに記録され書き換えができない固有のＩＤが割り当てられている。本実施形態では、このような固有ＩＤを鍵情報として用いる。
【００１３】
ＩＤ読出部２２は、スマートフォン１００からの要求に応じて、固有ＩＤ記憶部２１から固有ＩＤを読み出して無線通信部２３に供給する。スマートフォン１００からの要求は、ロック解除用に使用するＩＣカード２００をスマートフォン１００に登録するときや、所望のアプリケーションに設定されているロックを解除するときに行われる（詳しくは後述する）。
【００１４】
無線通信部２３は、スマートフォン１００との間で無線通信を行う。具体的には、無線通信部２３は、スマートフォン１００から送られてくる鍵情報の取得要求を受信してＩＤ読出部２２に通知し、その応答として固有ＩＤ記憶部２１から読み出された鍵情報としての固有ＩＤをスマートフォン１００に送信する。
【００１５】
スマートフォン１００は、アプリケーション記憶部１、ロック設定・解除用プログラム記憶部２、アプリケーション実行部３、無線通信部４、ＩＤ登録部５、認証用鍵情報記憶部６、対象アプリ選択部７、対象アプリ記憶部８、操作受付部９、ロック設定処理部１０、鍵情報取得部１１およびロック解除処理部１２を備えて構成されている。
【００１６】
アプリケーション記憶部１は、スマートフォン１００にインストールされた各種アプリケーションを記憶する。ロック設定・解除用プログラム記憶部２は、アプリケーション記憶部１に記憶された各種アプリケーションに対してロックの設定および解除に関する処理を行うためのロック設定・解除用プログラムを記憶する。このロック設定・解除用プログラムは、特許請求の範囲のロック解除用プログラムに相当する。
【００１７】
アプリケーション実行部３は、アプリケーション記憶部１に記憶された各種アプリケーションのうち、ユーザがタッチパネル等の操作部（図示せず）を操作して選択した所望のアプリケーションを起動して実行する。ロックが設定されているアプリケーションについては、そのロックを解除しなければ起動できないようになされている。このロックの設定・解除の仕組みについては詳細を後述する。
【００１８】
無線通信部４は、ＩＣカード２００との間で無線通信を行う。具体的には、無線通信部４は、ＩＣカード２００に対して鍵情報の取得要求を送信し、その応答としてＩＣカード２００から送られてくる鍵情報としての固有ＩＤを受信する。そして、受信した固有ＩＤをＩＤ登録部５または鍵情報取得部１１に供給する。ＩＤ登録部５または鍵情報取得部１１のどちらに固有ＩＤを供給するかについては、鍵情報の取得要求を発行した方である。
【００１９】
ＩＤ登録部５は、ユーザがタッチパネルを操作して、ロック解除用に使用するＩＣカード２００の登録を指示したときに、図２に示すような登録画面をタッチパネルに表示させる。この登録画面には、ＩＣカード２００をスマートフォン１００に近づけることをユーザに促すメッセージが含まれている。また、ＩＤ登録部５は、鍵情報の取得要求を発行して無線通信部４に供給する。このとき、ＩＣカード２００がスマートフォン１００に近づけられていると、無線通信部４は鍵情報の取得要求をＩＣカード２００に送信することができる。
【００２０】
そして、ＩＤ登録部５は、無線通信部４が上記の取得要求をＩＣカード２００に送信したことの応答して返信されてくる固有ＩＤを、認証用鍵情報として認証用鍵情報記憶部６に記憶させる。これにより、ＩＣカード２００の固有ＩＤ記憶部２１に記憶されている固有ＩＤが、スマートフォン１００の認証用鍵情報記憶部６に認証用鍵情報として登録される。
【００２１】
対象アプリ選択部７は、ユーザによるタッチパネルに対する操作を通じて、アプリケーション記憶部１に記憶されている各種アプリケーションの中から、ロックを設定する対象のアプリケーションを選択する。例えば、対象アプリ選択部７は、タッチパネルに各種アプリケーションの一覧を表示させ、その中からロック対象のアプリケーションをユーザが選択できるようになされている。対象アプリ記憶部８は、対象アプリ選択部７により選択されたアプリケーションの識別情報を記憶する。
【００２２】
操作受付部９は、ユーザによる操作部に対する各種操作を受け付ける。具体的には、操作受付部９は、アプリケーション記憶部１に記憶された各種アプリケーションのうち、所望のアプリケーションを選択して実行させることを指示するための操作を受け付ける。この操作は、例えば、スマートフォン１００のタッチパネルに表示されたアイコンをタッチする操作である。操作受付部９は、この操作を受け付けたときに、選択されたアプリケーションの実行が指示されたことをアプリケーション実行部３に通知する。
【００２３】
また、操作受付部９は、ロック解除用に使用するＩＣカード２００の登録を指示するための操作を受け付ける。この操作も、例えば、スマートフォン１００のタッチパネルに表示されたアイコンをタッチする操作である。操作受付部９は、この操作を受け付けたときに、ＩＣカード２００の登録が指示されたことをＩＤ登録部５に通知する。
【００２４】
さらに、操作受付部９は、ロック対象のアプリケーションを選択する操作を受け付ける。この操作は、上述したように、スマートフォン１００のタッチパネルに表示された各種アプリケーションの一覧の中から何れかを選択するタッチ操作である。操作受付部９は、この操作を受け付けたときに、対象アプリの選択が指示されたことを対象アプリ選択部７に通知する。
【００２５】
ロック設定処理部１０は、対象アプリ記憶部８に記憶されたロック対象のアプリケーションについて、これをアプリケーション実行部３が起動して実行しようとするときに、その動作をロックする。具体的には、ロック設定処理部１０は、所定のロック画面をタッチパネルに全画面表示させ、ホームキー以外の操作（タッチパネルに対する操作）は一切できないようにする。このロック画面には、図３に示すように、ＩＣカード２００をスマートフォン１００に近づけるとロックが解除されることを示すメッセージが含まれている。
【００２６】
鍵情報取得部１１は、対象アプリ記憶部８に記憶されたロック対象のアプリケーションについて、これをアプリケーション実行部３が起動して実行しようとするときに、鍵情報の取得要求を発行して無線通信部４に供給する。このとき、図３に示したロック画面のメッセージにユーザが促されて、ＩＣカード２００がスマートフォン１００に近づけられていると、無線通信部４は鍵情報の取得要求をＩＣカード２００に送信することができる。
【００２７】
そして、鍵情報取得部１１は、無線通信部４が上記の取得要求をＩＣカード２００に送信したことの応答して返信されてくる固有ＩＤを取得する。鍵情報取得部１１は、ＩＣカード２００から無線通信により取得した固有ＩＤをロック解除処理部１２に供給する。
【００２８】
ロック解除処理部１２は、鍵情報取得部１１によりＩＣカード２００から鍵情報としての固有ＩＤを取得できたか否かを判定する。また、ロック解除処理部１２は、固有ＩＤを取得できたと判定した場合に、当該取得した固有ＩＤと、認証用鍵情報記憶部６に認証用鍵情報として記憶されている固有ＩＤとが一致するか否かを判定する。そして、双方の固有ＩＤが一致すると判定した場合に、アプリケーションのロックを解除する。
【００２９】
ロック解除処理部１２によってアプリケーションのロックが解除されると、そのアプリケーションがアプリケーション実行部３により起動して実行される。その結果、図３に示したロック画面が消えて、アプリケーションの初期画面がタッチパネルに表示される。これにより、アプリケーションを使用可能な状態となる。一方、ＩＣカード２００から固有ＩＤを取得できないか、取得した固有ＩＤと認証用の固有ＩＤとが一致しない場合には、ロック解除処理部１２はアプリケーションのロックを解除しない。この場合は、ロック画面がタッチパネルに表示された状態のままとなる。
【００３０】
なお、以上に説明したスマートフォン１００の各機能ブロックのうち、ＩＤ登録部５、対象アプリ選択部７、ロック設定処理部１０、鍵情報取得部１１およびロック解除処理部１２の各機能は、スマートフォン１００に搭載されたＣＰＵあるいはＭＰＵが、ロック設定・解除用プログラム記憶部２に記憶されたロック設定・解除用プログラムに従って動作することによって実現される。
【００３１】
ロック設定・解除用プログラム記憶部２に記憶するロック設定・解除用プログラムは、例えばインターネット等のネットワークを介してスマートフォン１００にダウンロードすることが可能である。または、ロック設定・解除用プログラムをスマートフォン１００に予めインストールしておいてもよい。予めインストールする場合、ロック設定・解除用プログラムをＣＤ−ＲＯＭのような記録媒体に記録し、これをスマートフォン１００に読み込ませることによって実現することができる。ロック設定・解除用プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。
【００３２】
次に、上記のように構成した本実施形態によるロック解除システムの動作を説明する。図４は、本実施形態によるロック解除システムの動作例を示すフローチャートである。図４に示すフローチャートは、ユーザがタッチパネルに表示されたアイコンを操作して所望のアプリケーションの実行を指示したときに開始する。なお、図４に示すフローチャートの開始時点において、ＩＣカード２００の固有ＩＤは既に認証用鍵情報記憶部６に登録され、ロック対象のアプリケーションは既に対象アプリ記憶部８に登録されているものとする。
【００３３】
ユーザによるアプリケーションの実行指示に関する操作を操作受付部９が受け付けると、その旨の通知を受けてアプリケーション実行部３は、選択されたアプリケーションがロック対象として指定されているか否かをロック設定処理部１０に問い合わせる。ロック設定処理部１０は、対象アプリ記憶部８を参照し、選択されたアプリケーションがロック対象として指定されているか否かを判定する（ステップＳ１）。
【００３４】
ここで、ユーザにより実行指示されたアプリケーションがロック対象として指定されている場合、ロック設定処理部１０は、タッチパネルにロック画面を表示させることにより、アプリケーションを使用できない状態に制限する（ステップＳ２）。また、ロック設定処理部１０は、アプリケーションがロック対象となっていることをアプリケーション実行部３に回答する。アプリケーション実行部３は、その回答内容を鍵情報取得部１１に通知する。
【００３５】
アプリケーションがロック対象となっている旨の通知を受けて、鍵情報取得部１１は、鍵情報の取得要求を発行して無線通信部４に供給する。無線通信部４は、その鍵情報の取得要求をＩＣカード２００に送信する（ステップＳ３）。その後、鍵情報取得部１１は、鍵情報の取得要求を送信したことの応答として、ＩＣカード２００から鍵情報として送られてくる固有ＩＤを取得できたか否かを判定する（ステップＳ４）。
【００３６】
ここで、ＩＣカード２００がスマートフォン１００に近づけられていないと、鍵情報取得部１１はＩＣカード２００から固有ＩＤを取得できない。その場合、操作受付部９は、スマートフォン１００のホームキーが操作されたか否かを判定し、操作されていなければステップＳ２に戻り、ロック画面を表示し続ける。一方、ホームキーが操作された場合は、図４に示すフローチャートの処理は終了する。
【００３７】
ユーザがロック画面のメッセージに促されてＩＣカード２００をスマートフォン１００に近づけると、鍵情報取得部１１はＩＣカード２００から固有ＩＤを取得できる。その場合、鍵情報取得部１１は、ＩＣカード２００から取得した固有ＩＤをロック解除処理部１２に供給する。ロック解除処理部１２は、ＩＣカード２００から取得した固有ＩＤと、認証用鍵情報記憶部６に予め記憶されている認証用の固有ＩＤとが一致するか否かを判定する（ステップＳ６）。
【００３８】
ここで、固有ＩＤが一致した場合、ロック解除処理部１２はアプリケーションのロックを解除する（ステップＳ７）。このロック解除を受けてアプリケーション実行部３は、アプリケーションを起動して実行させる（ステップＳ８）。これにより、ユーザが実行指示したアプリケーションが使用可能な状態となり、図４に示すフローチャートの処理は終了する。一方、固有ＩＤが一致しない場合、ロック解除処理部１２は「カードが違います」といったエラーメッセージを表示させる（ステップＳ９）。そして、処理はステップＳ２に戻る。
【００３９】
なお、上記ステップＳ１において、ユーザにより実行指示されたアプリケーションがロック対象として指定されていないと判断した場合、処理はステップＳ８に進み、指定されたアプリケーションを起動して実行させる。これにより、図４に示すフローチャートの処理は終了する。
【００４０】
以上詳しく説明したように、本実施形態では、ユーザがスマートフォン１００でアプリケーションの起動を指示した後、ＩＣカード２００をスマートフォン１００に近づけると、スマートフォン１００がＩＣカード２００から鍵情報（固有ＩＤ）を無線通信により取得する。そして、ＩＣカード２００から取得した鍵情報と、スマートフォン１００の認証用鍵情報記憶部６に予め登録しておいた認証用鍵情報（固有ＩＤ）とが一致するか否かを判定し、一致する場合に、アプリケーションに設定されたロックを解除するようにしている。
【００４１】
このように構成した本実施形態によれば、スマートフォン１００でアプリケーションを使用しようとするときに、ユーザがパスワードを手入力したり、ＩＣカードをアダプタにより接続したりすることなく、ただ単にＩＣカード２００をスマートフォン１００に近づけるだけで、鍵情報が無線通信され、アプリケーションに設定された使用制限のためのロックが解除される。これにより、ユーザが面倒な操作や作業をすることなく、アプリケーションのロックを簡単に解除することができる。
【００４２】
また、本実施形態では、ロック解除のための鍵情報として、ＩＣカード２００の固有ＩＤ（Ｆｅｌｉｃａの「ＩＤｍ」やＭｉｆａｒｅの「ＵＩＤ」など）を用いている。この固有ＩＤは書き換えができないため、悪意の第三者が複製のカードを作って不正使用することを防止できる。
【００４３】
なお、上記実施形態において、ロック解除後のロックし忘れを防止するため、ロックを解除した後で次にロックを自動的に設定するまでの時間をユーザが任意に指定できるようにしてもよい。ただし、指定した時間が経過したときにアプリケーションが実行中の場合には、当該アプリケーションを継続して実行できるようにし、実行を終了した時点でロックを設定するようにする。なお、指定時間を「０」にした場合は、アプリケーションの実行が終了するとすぐにロックを設定する。
【００４４】
また、上記実施形態では、記録媒体の一例としてＩＣカード２００を挙げて説明したが、このＩＣカード２００の例として、ＩＣテレフォンカード、たばこカード、住民基本台帳カード、社員証、学生証などを用いることができる。また、ＩＣカード２００の代わりに、Ｓｕｉｃａ、Ｅｄｙ、ＰＡＳＭＯ、ＩＣＯＣＡ、おサイフケータイなどの交通系カードや電子マネー機器などを用いてもよい。さらに、物流や小売などで使用されるＩＣタグを用いてもよい。
【００４５】
また、上記実施形態では、端末装置の一例としてスマートフォン１００挙げて説明したが、本発明はこれに限定されない。例えば、ＰＤＡ、タブレット端末、パーソナルコンピュータなど、アプリケーションがインストールされる情報機器であれば何れを用いてもよい。
【００４６】
また、上記実施形態では、ロック対象に指定されているアプリケーションの実行が指示されたときに、ロック画面を全画面表示させてアプリケーションを使用できない状態にし、鍵情報に基づいてロックが解除された後で、アプリケーションを起動するようにしているが、本発明はこれに限定されない。例えば、アプリケーションの実行が指示されたときに、アプリケーションを起動しつつ、タッチパネルにはロック画面を全画面表示させてアプリケーションを使用できない状態にしてもよい。このようにすれば、ロックが解除されたときに、アプリケーションを使用可能な状態にするまでの時間を短くすることができる。
【００４７】
また、上記実施形態では、ユーザにより実行の指示が行われたアプリケーションだけを対象にしてロックを解除するようにしているが、本発明はこれに限定されない。例えば、ＩＣカード２００をスマートフォン１００に近づけたときに、ロック対象に指定されているアプリケーションの全てについてロックを一括して解除するようにしてもよい。
【００４８】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００４９】
１  アプリケーション記憶部
２  ロック設定・解除用プログラム記憶部
３  アプリケーション実行部
４  無線通信部
５  ＩＤ登録部
６  認証用鍵情報記憶部
７  対象アプリ選択部
８  対象アプリ記憶部
９  操作受付部
１０  ロック設定処理部
１１  鍵情報取得部
１２  ロック解除処理部
１００  端末装置（スマートフォン）
２００  記録媒体（ＩＣカード）
【図１】
2013109695.tif 000003
【図２】
2013109695.tif 000004
【図３】
2013109695.tif 000005
【図４】
2013109695.tif 000006